(57)【特許請求の範囲】
【請求項１】
クランク軸上にトルクコンバータを設け、クランク軸の軸心に設けた軸方向給油孔を介してトルクコンバータに作動油を供給するようにしたトルクコンバータ付き内燃機関において、
前記クランク軸は、前記軸方向給油孔と前記トルクコンバータを連通させる少なくとも２つの径方向油路を備え、
前記軸方向給油孔内には、該給油孔より径の小さい管が、前記クランク軸の一端から軸方向に挿通され、
前記管の外面と前記軸方向給油孔の内面との間には、軸方向に関して、少なくとも２つの前記径方向油路の間に位置して該径方向油路を軸方向に隔離するようにシールが介装され、
軸方向に隔離された前記径方向油路の一つが、前記トルクコンバータに作動油を供給する作動油供給油路とされるとともに、前記径方向油路の他方が、前記トルクコンバータから作動油を戻す作動油戻り油路とされ、
前記トルクコンバータからの作動油戻り油路が、内燃機関のクランクケースに形成した油路に接続され、
クランクケースに形成した前記油路にチェックバルブが設けられた
ことを特徴とするトルクコンバータ付き内燃機関。
【請求項２】
前記管の内側はクランク軸回りの潤滑油用油路とされ、内燃機関のクランク室とミッション室とが一方向弁を介して分離され、前記チェックバルブの吐出側は前記ミッション室の下部空間に連通することを特徴とする請求項１に記載のトルクコンバータ付き内燃機関。
【発明の詳細な説明】
【０００１】
【発明の属する技術分野】
本発明は、４輪バギー車（荒地走行用鞍乗型車両）等に搭載されるトルクコンバータ付き内燃機関に関するものである。
【０００２】
【従来の技術】
従来の技術が、実開平１−１８００５４号公報に掲載されている。従来はクランク室とトルクコンバータ室とミッション室とを分離していた。また、トルクコンバータへのオイル供給は、ミッション軸から駆動されるオイルポンプによって行っていた。
【０００３】
【解決しようとする課題】
従来は、クランク室とトルクコンバータ室とミッション室とを壁を設けて分離していたので、トルクコンバータ専用の油供給用油路を設けると、シール構造が複雑になっていた。またトルクコンバータと内燃機関の潤滑油を共用する形式のものでは、トルクコンバータからの戻り油を、油中に戻さずにクランクケース内の雰囲気に直接戻すと、オイルはミストとなってブリーザ機能を低下させるが、オイル回収用に壁を貫通して内燃機関の潤滑と分離した油路を作ると全体の構造が複雑になり好ましくなかった。本発明は、オイルの使用目的別の油路を設けるスマートな構造を提供しようとするものである。
【０００４】
【課題を解決するための手段および効果】
本発明は上記課題を解決したものであって、請求項１に記載の発明は、クランク軸上にトルクコンバータを設け、クランク軸の軸心に設けた軸方向給油孔を介してトルクコンバータに作動油を供給するようにしたトルクコンバータ付き内燃機関において、前記クランク軸は、前記軸方向給油孔と前記トルクコンバータを連通させる少なくとも２つの径方向油路を備え、前記軸方向給油孔内には、該給油孔より径の小さい管が、前記クランク軸の一端から軸方向に挿通され、前記管の外面と前記軸方向給油孔の内面との間には、軸方向に関して、少なくとも２つの前記径方向油路の間に位置して該径方向油路を軸方向に隔離するようにシールが介装され、軸方向に隔離された前記径方向油路の一つが、前記トルクコンバータに作動油を供給する作動油供給油路とされるとともに、前記径方向油路の他方が、前記トルクコンバータから作動油を戻す作動油戻り油路とされ、前記トルクコンバータからの作動油戻り油路が、内燃機関のクランクケースに形成した油路に接続され、
クランクケースに形成した前記油路にチェックバルブが設けられたことを特徴とする。
【０００５】
本発明の給油用油路および回収用油路はこのように構成されているので、トルクコンバータの戻り油を空中排出によるブリーザ機能の低下を招くことなく単純な構造で油中に排出することができる。
【０００６】
請求項２に記載の発明は、請求項１に記載のトルクコンバータ付き内燃機関において、前記管の内側はクランク軸回りの潤滑油用油路とされ、内燃機関のクランク室とミッション室とが一方向弁を介して分離され、前記チェックバルブの吐出側は前記ミッション室の下部空間に連通することを特徴とするものである。
【０００７】
本発明はこのように構成されているので、クランク室を密閉化し、クランク室内への給油量をクランク回りが必要とする最低限の量に制限し、撹拌によるフリクションの影響を少なくし、トルクコンバータには、専用の給油通路を確保することによってクランク系全体のオイル給油量を少なくすることができる。さらに、これによって、クランクケースのボリュームを小さくし、パワーユニットを軽量化することができる。
【０００８】
【発明の実施の形態】
図１は本発明の一実施形態に係る自動変速装置を備えたパワーユニットを搭載した４輪バギー車（荒地走行用鞍乗型車両）の側面図である。このバギー車は車体フレーム１の前後にそれぞれ左右一対づつの前輪２および後輪３を備え、車体フレーム１の中央部に内燃機関４と変速機５とを一体化したパワーユニット６が支持されている。パワーユニット６はクランク軸７を車体の前後方向へ向けて配置されている。クランク軸７の回転は、後述の変速機の主軸８、中間軸９、カウンタ軸10、を経て図示の出力軸11に伝達される。上記の各軸はいずれもクランク軸と平行であり、車体の前後方向へ向けて配置されている。前輪２は出力軸11の前端に連なる前輪駆動軸12によって、後輪３は出力軸11の後端に連なる後輪駆動軸13によって駆動される。車体上部には、前から順に操縦用ハンドル14、燃料タンク15、鞍型シート16が装備されている。
【０００９】
図２は上記パワーユニットのクランクケース23の横断面を正面から見た図である。図には、クランク軸７、主軸８、中間軸９、カウンタ軸10、および出力軸11が示してあり、さらにシフトフォーク17、18、シフトフォークのガイド軸19、およびシフトドラム20の位置が示してある。クランク軸７の近傍にバランスウエイト軸21が設けてある。図３はクランク軸７と主軸８とを含む断面図、図４は主軸８とカウンタ軸10と出力軸11とシフトフォークのガイド軸19を含む断面展開図、図５は主軸８、中間軸９、カウンタ軸10、およびシフトフォークのガイド軸19を含む断面展開図である。これらの軸を含む断面図・断面展開図は動力伝達機構を示しているが、特に図４と図５が自動変速装置に係る部分を示している。
【００１０】
図３はクランク軸７と主軸８とに関する動力伝達機構を示している。パワーユニットのクランクケース部は前から、前クランクケースカバー24、前クランクケース25、後クランクケース26、および後クランクケースカバー27から構成されている。クランク軸７は、前後のクランクケース25、26に軸受43、44を介して回転可能に支持されている。クランク軸７の前方延長部は前クランクケースカバー24に軸受45を介して支持されている。クランク軸７は前後の部分に分かれ、そのクランクウエブ７ａにおいてクランクピン７ｂによって結合され、同クランクピン７ｂによって、コンロッド28が支持されている。クランク軸７の後端部にはクランク軸７の回転によって発電する交流発電機29が装着されている。
【００１１】
クランク軸７の前部には、トルクコンバータ30が装着され、同トルクコンバータ30に隣接してプライマリ駆動ギヤ34がクランク軸７に遊嵌されている。トルクコンバータ30は、クランク軸７に固定されているポンプインペラ31と、それに対向するタービンランナ32と、ステ−タ33とを備えている。タービンランナ32が前記プライマリ駆動ギヤ34に接続されている。トルクコンバータ30への作動油は、前クランクケースカバー24からクランク軸７の中心孔に挿入された二重管の外管36と内管37との間から供給される。クランクピン７ｂへの潤滑油は内管37の中を経て供給される。二重管は前クランクケースカバー24にＯ−リングを介して弾性的に保持され、軸の偏心が吸収されている。
【００１２】
主軸８の前半部外周には、管状の補助主軸38が設けてある。この補助主軸38は、前後のクランクケース25、26に軸受46、47を介して回転可能に支持されている。主軸８の前半部はこの補助主軸38の中心孔内を貫通すると共に、ニードル軸受48を介して同補助主軸38によって回転可能に支持され、主軸８の後部は後クランクケース26に軸受49を介して回転可能に支持されている。主軸８と補助主軸38とは相互に回転が可能である。
【００１３】
主軸８の前部には、前記プライマリ駆動ギヤ34に常時噛み合うプライマリ従動ギヤ35が固定されている。クランク軸７の回転は、トルクコンバータ30を介してプライマリ駆動ギヤ34に伝えられ、さらにこれに噛合うプライマリ従動ギヤ35に伝えられ、これら両ギヤによる１次減速を経て、主軸８に伝達される。主軸８は内燃機関運転中には常時回転している。
【００１４】
補助主軸38の前端、軸受46の前には、１速用油圧式多板クラッチ39が設けてある。軸受46の後には、１速用駆動ギヤＡ１、後退用駆動ギヤＡ２が補助主軸38に固定されている。１速用油圧式多板クラッチ39のインナー39ａは主軸８に固定されているプライマリ従動ギヤ35と一体であり、そのアウター39ｂは補助主軸38に固定してある。１速用油圧式多板クラッチ39が油圧によって接続された時、プライマリ従動ギヤ35と１速用油圧式多板クラッチ39とを介して主軸８と補助主軸38とが接続され、主軸８の回転が補助主軸38の１速用駆動ギヤＡ１、後退用駆動ギヤＡ２に伝達される。
【００１５】
主軸８の後端部、軸受49より後には、前記１速用駆動ギヤＡ１より大径の、２速用駆動ギヤＡ３が遊嵌され、これに隣接して２速用油圧式多板クラッチ40が設けてある。そのインナー40ａは主軸８に固定され、そのアウター40ｂは前記２速用駆動ギヤＡ３に一体回転できるように接続されている。２速用油圧式多板クラッチ40が油圧によって接続された時、主軸８の回転が２速用駆動ギヤＡ３に伝達される。
【００１６】
１速用、２速用のクラッチを接続する際には、いずれか一方へのみ圧油を供給して接続する。１速用油圧式多板クラッチ39への作動油は、主軸８の中心孔へ前クランクケースカバー24から挿入された二重管の外管50と内管51との間から供給され、２速用油圧式多板クラッチ40への作動油は、二重管の内管51の中を経て供給される。この圧油供給先の切り換えは、ソレノイドバルブ52への通電によるバルブボデイ53内の油路の切り換えによって行われ、前記二重管に連なる前クランクケースカバー24内の油路54、55が切り換えられる。この切り換えの通電操作は、車速やスロットル開度などのパラメータに基づく電子制御装置からの指令信号によって自動的に行われる。上記二重管は前クランクケースカバー24にＯ−リングを介して弾性的に保持され、軸の偏心が吸収されている。
【００１７】
図４は前記主軸８から、カウンタ軸10、および出力軸11への動力伝達機構を示している。カウンタ軸10は前後のクランクケース25、26に軸受56、57を介して回転可能に支持され、出力軸11は前クランクケースカバー24、後クランクケース26、および後クランクケースカバー27に軸受58、59、60を介して回転可能に支持されている。
【００１８】
カウンタ軸10には、１速用従動ギヤＢ１と後退用従動ギヤＢ２が遊嵌され、それらの間に、前進後退選択用ドッグクラッチ41が設けてあり、シフトフォーク17による選択操作によって、ギヤＢ1、Ｂ２のいずれか一方をカウンタ軸10に対して固定することができる。カウンタ軸10には更に、ハイ駆動ギヤＢ３、ロー駆動ギヤＢ４、および２速用従動ギヤＢ５が固定されている。ハイ駆動ギヤＢ３はロー駆動ギヤＢ４より大径である。
【００１９】
出力軸11にはハイ従動ギヤＣ１とロー従動ギヤＣ２とが遊嵌され、それらの間にはハイロー選択用ドッグクラッチ42が設けてあり、シフトフォーク18による選択操作によって、いずれか一方を出力軸に固定することができる。シフトフォーク17、18はいずれもガイド軸19によって支持されている。シフトフォーク17、18に設けられたシフタピン17ａ、18ａの先端は、図２に示したシフトドラム20に、それぞれのシフタピン専用の溝として設けられたカム溝20ａ、20ｂに挿入されている。シフトドラム20の回動は、車両のハンドル14に設けてあるシフトレバー（図示せず）に連なる操作ケーブル（図示せず）を介して、搭乗者によって手動で操作される。
【００２０】
カウンタ軸10に遊嵌されている１速用従動ギヤＢ１は補助主軸38の１速用駆動ギヤＡ１に常時噛合っている。カウンタ軸10に遊嵌されている後退用従動ギヤＢ２は、後述する方向転換用ギヤＭ１、Ｍ２を介して補助主軸38の後退用駆動ギヤＡ２と常時噛合っている。カウンタ軸10に固定されているハイ駆動ギヤＢ３およびロー駆動ギヤＢ４は、それぞれ出力軸11に遊嵌されている前記ハイ従動ギヤＣ１およびロー従動ギヤＣ２に常時噛合っている。２速用従動ギヤＢ５は、主軸８の２速用駆動ギヤＡ３と常時噛合っている。
【００２１】
図５は主軸８から、中間軸９を経てカウンタ軸10へ至る動力伝達機構を示している。中間軸９は前後のクランクケース25、26に支持されている。中間軸９には方向転換用ギヤＭ１、Ｍ２が回転可能に支持されている。方向転換用ギヤＭ１、Ｍ２は、ボス部が共通のアイドルギヤである。ギヤＭ２はギヤＭ１より小径である。方向転換用ギヤＭ１は補助主軸38に固定されている後退用駆動ギヤＡ２と常時噛合い、方向転換用ギヤＭ２はカウンタ軸10の後退用従動ギヤＢ２に常時噛合っている。
【００２２】
次にその変速作用について述べるにあたり、説明表現の都合上、油圧式多板クラッチの１速用クラッチ39の選択を「１速」、２速用クラッチ40の選択を「２速」、前進後退選択用ドッグクラッチ41の１速用従動ギヤＢ１側選択を「前進」、後退用従動ギヤＢ２側選択を「後退」、ハイロー選択用ドッグクラッチ42のハイ従動ギヤＣ１側選択を「ハイギヤ」、ロー従動ギヤＣ２側選択を「ローギヤ」と表示する。
【００２３】
油圧式クラッチとドッグクラッチの組み合せ選択肢は６通りあり、車両速度の遅いものから速いものへ順に並べれば次のようになる。それぞれの選択肢において稼働するギヤ列も併せて示してある。
１.前進の場合：
（ａ）１速・前進・ローギヤ：Ａ１―Ｂ１―Ｂ４―Ｃ２、
（ｂ）１速・前進・ハイギヤ：Ａ１―Ｂ１―Ｂ３―Ｃ１、
（ｃ）２速・ローギヤ：      Ａ３―Ｂ５―Ｂ４―Ｃ２、
（ｄ）２速・ハイギヤ：      Ａ３―Ｂ５―Ｂ３―Ｃ１、
２.後退の場合：
（ａ）１速・後退・ローギヤ：Ａ２―Ｍ１―Ｍ２―Ｂ２―Ｂ４―Ｃ２、
（ｂ）１速・後退・ハイギヤ：Ａ２―Ｍ１―Ｍ２―Ｂ２―Ｂ３―Ｃ１。
【００２４】
図２において、クランク室61とミッション室62とは隔壁63によって仕切られ、この隔壁63によって、クランク室61はいわゆる密閉クランク室となっている。クランク室61とミッション室62との間の下部の連通部には一方向弁64が設けられ、ピストン下降の際に上昇するクランク室61内の圧力に押されて、クランク室61内のオイルが一方向弁64を経由してミッション室62へ流出するようになっている。
【００２５】
図６はクランク軸７と一方向弁64とを含むパワーユニットの縦断面図、図７は図６の部分拡大図であり、クランク軸７の前半部およびその周辺を示している。図中の矢印はオイルの流れ方向である。前クランクケースカバー24の前側には、オイルフィルタ65が装着されている。オイルフィルタ65を経由して、前クランクケースカバー24側から、クランク軸７の前部のトルクコンバータ30へ向かう作動油は、前クランクケースカバー24側からクランク軸７の中心孔80に挿入された二重管の外管36と内管37との間から供給され、図７に示されるように、内管37、クランク軸７、シール66、67に囲まれた空間から、クランク軸７の径方向油路69を経てトルクコンバータ30へ入る。
【００２６】
トルクコンバータ30から流出したオイルは、軸受部を潤滑した後、図７に示されるクランク軸７の径方向油路70、71を経由し、内管37、クランク軸７、シール67、68で囲まれた空間へ流出し、更にクランク軸７の径方向油路72、クランク軸７と前クランクケース25間の円環状小室73、前クランクケースに設けられた油路74を通り、図６に示されるチェックバルブ75、および流出油路76を経て、ミッション室62の下部空間62ａへ流出する。前記クランク軸７と前クランクケース25との間に形成されている円環状小室73の前後の環状隙間には、軸受部密閉用オイルシール78、小室外側オイルシール79が装着され、前後の環状隙間からのオイル漏れを防いでいる。上記円環状小室73、油路74、チェックバルブ75を、パワーユニットの正面側から見た位置は、後述の図９に示してある。
【００２７】
トルクコンバータ30が正常な作動をするためには、トルクコンバータ30内の作動油が、ある一定値以上の圧力を保っていることが必要である。作動油流出経路の末尾にチェックバルブ75が設けてあるのは、その上流側の圧力、即ちトルクコンバータ30内の作動油の圧力を所定値以上に保持するためである。更にこのチェックバルブによって、内燃機関を長期間放置した時にも、トルクコンバータ内のオイルが流出しないという効果がある。
【００２８】
クランクピン７ｂへ向かう潤滑油は、前クランクケースカバー24側からクランク軸中心孔80に挿入された内管37の内側を通り、クランク軸中心孔80の端部の油路、およびクランク軸径方向斜め油路81を経由して供給される。シリンダの内側やピストンの下部の潤滑は、オイル噴出装置82から噴出するオイルジェットによって行われる（オイル噴出装置82へ向かう油路は図示していない）。
【００２９】
上記クランク軸の径方向斜め油路81、およびオイル噴出装置82を経由して供給されたオイルはいずれも、所要箇所を潤滑した後、クランク室61の中で、図２および図６に示されるクランク室の下部空間61ａに落ちる。前述のようにこのクランク室61は密閉クランク室であり、固定部と回転部との間の軸受部の隙間は、前側は前記軸受部密閉用オイルシール78によって、後側は軸受部密閉用オイルシール84によって密封されている。したがってピストン下降時の圧力上昇によって、クランク室の下部空間61ａのオイルは一方向弁64を経由してミッション室62の下部空間62ａへ押し出され、前記のチェックバルブ75から流出したオイルと合流する。
【００３０】
図８はカウンタ軸10、出力軸11、シフトフォークのガイド軸19、シフトドラム20およびストレーナ85を含むパワーユニットの縦断面図である。図中の矢印はオイルの流れ方向を示す。ストレーナ85の前方に設置されているオイルポンプは後側オイルポンプ88と前側オイルポンプ89とが同一のオイルポンプ軸90に装着された２連式のオイルポンプである。後側オイルポンプ88はストレーナ上部空間87に連なっている。ストレーナ85の周辺の正面形状は、図２に示されている。
【００３１】
図９は前クランクケースカバーと前クランクケースとの間の上記ポンプ等を正面から見た図、図１０は前クランクケースカバーの前面のオイルフィルタ等を正面から見た図である。図９の円弧状矢印は、トルクコンバータのポンプインペラ31の回転方向を示している。図６および図９に示されるように、オイルポンプ軸90はクランク軸７に装着されたスプロケット91とオイルポンプ軸90に装着されたスプロケット92とこの間に掛け渡されたチェーン93を介して駆動される。
【００３２】
図２および図６に示されるミッション室62の下部空間62ａに落ち、図２および図８に示されるストレーナ下部空間86に流入したオイルは、オイルポンプの作動によって、ストレーナ85を経由して、ストレーナ上部空間87へ入り、図８のストレーナ上部空間87に連なる後側オイルポンプ88によって吸引され、図６に示される後側ポンプ吐出管94からオイルタンク（図示されず）へ吐出される。上記オイルタンク内のオイルは、前側オイルポンプ89によって、図８に示される吸入管95から吸引され、図６に示される前側ポンプ吐出管96経由で、図６および図１０に示される前記オイルフィルタ65へ送られる。前側ポンプ吐出管96から分岐した分岐管97につながる圧力制御弁98（図６、図９）によって、オイルフィルタ65へ送り込まれるオイルの圧力は、所定値に保持される。
【００３３】
オイルフィルタ65へ送り込まれ、そこで浄化されて排出されたオイルの一部は、前述のように、クランク軸内の二重管へ送られ、トルクコンバータ30の作動油、クランク軸外周部の軸受の潤滑油、クランクピン７ｂの潤滑油となる。他の一部はクランクケースカバー24、27やクランクケース25、26内に形成された油路を通じてミッション室62内の各回転軸の軸受部へ潤滑油として送られる。更に他の一部は、図１０に示されるリニヤソレノイドバルブ52Ａおよびシフトソレノイドバルブ52Ｂが装着されているバルブボデイ53を経由して、１速・２速切り換えのために、１速用油圧式多板クラッチ39または２速用油圧式多板クラッチ40へ加圧用として送られる。上記ソレノイドバルブは、電子制御装置によって通電ＯＮ／ＯＦＦ制御される。
【００３４】
図６において、オイルポンプ軸90の前端に接続されているのは水ポンプ99であり、水ポンプ軸100はオイルポンプ軸90と同軸回転する。水ポンプ吐出水は、吐出口101を経由して、冷却のためにシリンダ周囲へ送られる。
【００３５】
以上に詳述したように、本実施形態のトルクコンバータ付き内燃機関においては、トルクコンバータの戻り油を空中排出することによるブリーザ機能の低下を招くことなく単純な構造で油中に排出することが出来る。またクランク室を密閉化し、クランク室内への給油量をクランク回りが必要とする最低限の量に制限し、撹拌によるフリクションの影響を少なくし、トルクコンバータには、専用の給油通路を確保することによってクランク系全体のオイル給油量を少なくすることができる。さらに、これによって、クランクケースのボリュームを小さくし、パワーユニットを軽量化することができる。
【００３６】
さらに、本実施形態では、トルクコンバータ30からの戻り油路74の終端部のチェックバルブ75によってトルクコンバータの作動油圧力を一定値以上に保持することが出来る。また、前側ポンプ吐出管96から分岐した分岐管97に連なる圧力制御弁98の作用によって、油圧系統上流側の油の圧力を所定値以上に保持することができる。
【図面の簡単な説明】
【図１】本発明の一実施形態に係る自動変速装置を備えたパワーユニットを搭載した４輪バギー車（荒地走行用鞍乗型車両）の側面図である。
【図２】上記パワーユニットのクランクケース23の横断面を正面から見た図である。
【図３】クランク軸７と主軸８とを含む断面図である。
【図４】主軸８とカウンタ軸10と出力軸11とシフトフォークのガイド軸19を含む断面展開図である。
【図５】主軸８、中間軸９、カウンタ軸10、およびシフトフォークのガイド軸19を含む断面展開図である。
【図６】クランク軸７と一方向弁64とを含むパワーユニットの縦断面図である。
【図７】図６の部分拡大図である。
【図８】カウンタ軸10、出力軸11、シフトフォークのガイド軸19、シフトドラム20およびストレーナ85を含むパワーユニットの縦断面図である。
【図９】前クランクケースカバーと前クランクケースとの間のポンプ等を正面から見た図である。
【図１０】前クランクケースカバーの前面のオイルフィルタ等を正面から見た図である。
【符号の説明】
Ａ１…１速用駆動ギヤ、Ａ２…後退用駆動ギヤ、Ａ３…２速用駆動ギヤ、Ｂ１…１速用従動ギヤ、Ｂ２…後退用従動ギヤ、Ｂ３…ハイ駆動ギヤ、Ｂ４…ロー駆動ギヤ、Ｂ５…２速用従動ギヤ、Ｃ１…ハイ従動ギヤ、Ｃ２…ロー従動ギヤ、Ｍ１…方向転換用ギヤ、Ｍ２…方向転換用ギヤ、１…車体フレーム、２…前輪、３…後輪、４…内燃機関、５…変速機、６…パワーユニット、７…クランク軸、７ａ…クランクウエブ、７ｂ…クランクピン、８…主軸、９…中間軸、10…カウンタ軸、11…出力軸、12…前輪駆動軸、13…後輪駆動軸、14…操縦用ハンドル、15…燃料タンク、16…鞍型シート、17…シフトフォーク、18…シフトフォーク、19…ガイド軸、20…シフトドラム、20ａ，20ｂ…カム溝、21…バランスウエイト軸、23…クランクケース、24…前クランクケースカバー、25…前クランクケース、26…後クランクケース、27…後クランクケースカバー、28…コンロッド、29…交流発電機、30…トルクコンバータ、31…ポンプインペラ、32…タービンランナ、33…ステータ、34…プライマリ駆動ギヤ、35…プライマリ従動ギヤ、36…外管、37…内管、38…補助主軸、39…１速用油圧式多板クラッチ、39ａ…インナー、39ｂ…アウター、40…２速用油圧式多板クラッチ、40ａ…インナー、40ｂ…アウター、41…前進後退選択用ドッグクラッチ、42…ハイロー選択用ドッグクラッチ、43…軸受、44…軸受、45…軸受、46…軸受、47…軸受、48…ニードル軸受、49…軸受、50…外管、51…内管、52…ソレノイドバルブ、52Ａ…リニヤソレノイドバルブ、52Ｂ…シフトソレノイドバルブ、53…バルブボデイ、54…油路、55…油路、56…軸受、57…軸受、58…軸受、59…軸受、60…軸受、61…クランク室、61ａ…クランク室の下部空間、62…ミッション室、62ａ…ミッション室の下部空間、63…隔壁、64…一方向弁、65…オイルフィルタ、66…シール、67…シール、68…シール、69…径方向油路、70…径方向油路、71…径方向油路、72…径方向油路、73…円環状小室、74…油路、75…チェックバルブ、76…流出油路、78…軸受部密閉用オイルシール、79…小室外側オイルシール、80…中心孔、81…クランク軸径方向斜め油路、82…オイル噴出装置、84…軸受部密閉用オイルシール、85…ストレーナ、86…ストレーナ下部空間、87…ストレーナ上部空間、88…後側オイルポンプ、89…前側オイルポンプ、90…オイルポンプ軸、91…スプロケット、92…スプロケット、93…チェーン、94…後側ポンプ吐出管、95…吸入管、96…前側ポンプ吐出管、97…分岐管、98…圧力制御弁、99…水ポンプ、100…水ポンプ軸、101…吐出口。
【図１】
0003891878.tif 000002
【図２】
0003891878.tif 000003
【図３】
0003891878.tif 000004
【図４】
0003891878.tif 000005
【図５】
0003891878.tif 000006
【図６】
0003891878.tif 000007
【図７】
0003891878.tif 000008
【図８】
0003891878.tif 000009
【図９】
0003891878.tif 000010
【図１０】
0003891878.tif 000011